(57)【要約】【課題】パイプ筐体表面の着雪やパイプ筺体表面の融雪による積雪深の誤測定を低減し、簡易な構成によって積雪深を精度よく測定することが可能な積雪深計及び積雪深測定方法を提供する【解決手段】積雪深計１は、中空筒状のパイプ３の中空部３ｃに設けられた多重の光センサー７ａ〜７ｇ（水平方向に照射して反射された反射光の反射強度に基づく照度を測定する第１のセンサー、第１のセンサーの周囲照度を測定する第２のセンサー）を備えており、第１のセンサー及び第２のセンサーによる補完的機能を実現した測定が可能である。積雪深の測定には、各センサーから得られる複数の照度データに基づき、積雪面を検知する判別条件を適時に設定する。第１のセンサー及び第２のセンサーは、対となって垂直方向や水平方向に多数設けられている。
2019026464.tif 000002
【特許請求の範囲】
【請求項１】
中空筒状のパイプの中空部に設けられた光センサーによって、パイプの周辺環境に積雪する積雪量を測定する積雪深計であって、
前記光センサーは、水平方向に照射して反射された反射光の反射強度に基づく照度を測定する第１のセンサーと、前記第１のセンサーの近傍に設けられ、前記第１のセンサーの周囲照度を測定する第２のセンサーと、を備えていることを特徴とする積雪深計。
【請求項２】
前記中空部には、前記第１のセンサー及び前記第２のセンサーが対となって垂直方向に多数設けられていることを特徴とする請求項１記載の積雪深計。
【請求項３】
前記中空部には、前記第１のセンサー及び前記第２のセンサーが対となって水平方向に多数設けられていることを特徴とする請求項１又は２記載の積雪深計。
【請求項４】
前記第１のセンサー及び前記第２のセンサーで測定された照度データを記憶する記憶部と、
前記記憶部で記憶された照度データを上位装置に送信する送信部と、
を有することを特徴とする請求項１から３のいずれか記載の積雪深計。
【請求項５】
前記第１のセンサーは赤外線センサーであり、前記第２のセンサーは可視光センサーであることを特徴とする請求項１から４のいずれか記載の積雪深計。
【請求項６】
水平方向に照射して反射された反射光の反射強度に基づく照度を測定する第１のセンサーと、前記第１のセンサーの近傍に設けられ、前記第１のセンサーの周囲照度を測定する第２のセンサーと、の光センサーを備えた積雪深計によって得られた照度データを用いて積雪量を測定する積雪深測定方法であって、
異なる水平位置において測定された第１のセンサーの照度データを取得する第１取得工程及び異なる水平位置において測定された第２のセンサーの照度データを取得する第２取得工程と、
前記第１取得工程及び前記第２取得工程により取得した複数の各照度データに基づき積雪面を判別する判別工程と、
前記判別工程により判別した積雪面に基づき積雪深を得る測定工程と、
を有することを特徴とする積雪深測定方法。
【請求項７】
前記判別工程は、積雪面を判別する判別条件を設定することを特徴とする請求項６記載の積雪深測定方法。
【請求項８】
前記第１のセンサー及び前記第２のセンサーは、対となって垂直方向及び／又は水平方向に多数設けられていることを特徴とする請求項６又は７記載の積雪深測定方法。
【請求項９】
前記第１のセンサーは赤外線センサーであり、前記第２のセンサーは可視光センサーであることを特徴とする請求項６から８のいずれか記載の積雪深測定方法。
【請求項１０】
測定された照度データが上位装置に送信され、上位装置によって各工程の機能が実行されることを特徴とする請求項６から９のいずれか記載の積雪深測定方法。
【発明の詳細な説明】
【技術分野】
【０００１】
本発明は、地上に設置されて周辺環境に積雪する積雪量を測定する積雪深計及び積雪深測定方法であって、特に光センサーによって積雪の深さを自動的に測定するものに関する。
【背景技術】
【０００２】
従来、積雪量（積雪の深さ）の測定は、超音波式・光学式・光電式・圧力式などの積雪深計を使用して行われている。ここで、超音波式の積雪深計としては、超音波を雪面に垂直方向に上から照射して、雪面からの反射時間からその距離を求めるものがある。一方、新雪（ふわふわの雪）の場合には音波が吸収されやすいため、測定誤差の要因になることが懸念されていた。また、光電式の積雪深計としては、超音波に替えてレーザー光を照射し、雪面からの反射時間からその距離を求めるものがある。いずれも、超音波やレーザー光を雪面上方から照射するものであるが、上方に位置する超音波送受信器又はレーザー光受発光器に降雪し、雪の塊が雪面に落下して穴が生じたり雪がかさ盛りされたりして、不正確な測定結果となることが懸念されていた。【０００３】
また、圧力式の積雪深計としては、積雪の重量を測定して、重量から積雪量を求めるものがある一方、雪質によって積雪量に対する重量が異なるため、測定誤差の要因になることが懸念されていた。【０００４】
光学式の積雪深計としては、地面に立設された検出ポールの内部に、複数組の投光器と受光器が鉛直方向（紙面に垂直な方法）に並んで設けられており、投光器から発した光を受光器で受光するか否かによって、積雪を検知するものである（特許文献１）。また、１本のポールの中に受光素子を１列に配列して積雪していない部分からの太陽光を検出して積雪を求めるものもある（特許文献２）。【０００５】
また、特許文献２では、ポール型の積雪深計の内部に昇降可能な光学式の距離測定センサーを設け、距離測定センサーによる測定距離が１ｍ以上であれば雪面より上、１ｍ以下であれば雪面より下と判断するものである。
【先行技術文献】
【特許文献】
【０００６】
【特許文献１】特開平５−５２９６６号公報（段落［０００３］、図５）
【特許文献２】特開平１０−１６０８６０号公報（段落［０００２］、図４等）
【発明の概要】
【発明が解決しようとする課題】
【０００７】
しかしながら、ポールの中に受光素子・発光素子を配列して積雪を検知する特許文献１及び２では、着雪や融雪による誤検知を生ずるといった問題がある。具体的には、ポールには風の影響によりポールの特定方向に雪が付着し、それ以外の部分には雪が付着しないという着雪現象が時に発生し、着雪した雪が融けて水滴が付着する着水現象も発生し、特に、水分含有率の多い雪はこの着雪・着水現象が発生しやすいなど、雪質による影響も無視できない。ポールの着雪部分は、特許文献１及び２とも着雪であるのか積雪であるのか判断することができず、積雪として誤検知してしまう。【０００８】
また、降雪からの天候が回復して外気温が高くなると、ポールの表面温度が上昇してポール周辺の雪が融けてしまう融雪現象が発生する。ポールの融雪部分は、実際には積雪しているにも関わらず、特許文献１では融雪で反射光を受光できない可能性もあり、特許文献２では太陽光を検出して積雪していないと判断することから、積雪していないとして誤検知してしまう。【０００９】
また、特許文献２では、昇降可能な距離測定センサーによる測定距離に基準値を設定しておくことにより、融雪孔の影響を考慮した雪面位置を判断して積雪量を測定するものであるが、基準値の設定次第では融雪孔か積雪なのか誤検知してしまう。また、昇降動作による消費電力が大きくバッテリーで長時間作動させることができない、昇降機構が複雑となり高価であるといった問題がある。【００１０】
本発明はこのような点に鑑みてなされたものであり、その目的は、筐体表面の着雪・着水や筺体表面の融雪による積雪深の誤測定を低減し、簡易な構成によって積雪深を精度よく測定することが可能な積雪深計及び積雪深測定方法を提供することにある。
【課題を解決するための手段】
【００１１】
上記課題を解決するために、本発明は、水平方向に照射して反射された反射光の反射強度に基づく照度を測定する第１のセンサーと、前記第１のセンサーの周囲照度を測定する第２のセンサーと、の多重の光センサーによる積雪深計であって、より具体的には、以下のものを提供する。【００１２】
（１）  中空筒状のパイプの中空部に設けられた光センサーによって、パイプの周辺環境に積雪する積雪量を測定する積雪深計であって、前記光センサーは、水平方向に照射して反射された反射光の反射強度に基づく照度を測定する第１のセンサーと、前記第１のセンサーの近傍に設けられ、前記第１のセンサーの周囲照度を測定する第２のセンサーと、を備えていることを特徴とする積雪深計。【００１３】
本発明によれば、第１のセンサーによって、水平方向に照射して反射された反射光の反射強度に基づく照度を測定することから、水平方向における積雪の有無を検知することが可能であり、第２のセンサーによって、第１のセンサーの周囲照度を測定することから、周囲照度による周辺環境の変化を捉えることが可能である。【００１４】
特に、着雪・着水や融雪といった周辺環境の変化は部分的又は限定的であるから、第１のセンサーの近傍に設けられた第２のセンサーによって周辺環境を捉えることが的確である。また、第２のセンサーによって気象・天候の変化を捉えつつ、第１のセンサーによる積雪深の単独測定のみならず、第１のセンサー及び第２のセンサーによる相互測定が可能であり、両センサーを用いて補完的機能を実現した高精度な測定が可能である。【００１５】
（２）  前記中空部には、前記第１のセンサー及び前記第２のセンサーが対となって垂直方向に多数設けられていることを特徴とする積雪深計。【００１６】
本発明によれば、第１のセンサー及び第２のセンサーが垂直方向に多数設けられていることから、第１のセンサーによって水平方向の異なる位置における積雪の有無を検知することができるとともに、第２のセンサーによって水平方向の異なる位置における周辺環境を捉えることができるので、両センサーを用いて補完的機能を実現した高精度な測定が可能である。【００１７】
（３）  前記中空部には、前記第１のセンサー及び前記第２のセンサーが対となって水平方向に多数設けられていることを特徴とする積雪深計。【００１８】
本発明によれば、第１のセンサー及び第２のセンサーが水平方向に多数設けられていることから、同一又は近傍の水平方向における部分的又は限定的な周辺環境の違い（例えば、着雪・着水や融雪）に影響されることなく、高精度な測定が可能である。【００１９】
（４）  前記第１のセンサー及び前記第２のセンサーで測定された照度データを記憶する記憶部と、前記記憶部で記憶された照度データを上位装置に送信する送信部と、を有することを特徴とする積雪深計。【００２０】
本発明によれば、第１のセンサー及び第２のセンサーで測定された照度データを記憶し、所望のタイミングで記憶された照度データを上位装置に送信することから、積雪深計では照度データを一旦蓄積し、上位装置で照度データを分析するというシステム構成により、積雪深計にシステム処理上の負荷をかけることなく、簡易な積雪深計を提供することが可能である。また、複数の積雪深計からの照度データを上位装置で一括して管理することが可能である。【００２１】
（５）  前記第１のセンサーは赤外線センサーであり、前記第２のセンサーは可視光センサーであることを特徴とする積雪深計。【００２２】
本発明によれば、赤外線と可視光（線）という波長の異なる２つの光センサーを組み合わせていることから、吸光度等の波長特性の違いに応じた照度データの分析によって、相互の補完的機能を実現した高精度な測定が可能である。【００２３】
（６）  水平方向に照射して反射された反射光の反射強度に基づく照度を測定する第１のセンサーと、前記第１のセンサーの近傍に設けられ、前記第１のセンサーの周囲照度を測定する第２のセンサーと、の光センサーを備えた積雪深計によって得られた照度データを用いて積雪量を測定する積雪深測定方法であって、異なる水平位置において測定された第１のセンサーの照度データを取得する第１取得工程及び異なる水平位置において測定された第２のセンサーの照度データを取得する第２取得工程と、前記第１取得工程及び前記第２取得工程により取得した複数の各照度データに基づき積雪面を判別する判別工程と、前記判別工程により判別した積雪面に基づき積雪深を得る測定工程と、を有することを特徴とする積雪深測定方法。【００２４】
本発明によれば、第１のセンサー及び第２のセンサーによって得られた照度データを取得して、取得した複数の各照度データに基づき積雪面を判別して積雪深を得ることから、第１のセンサー及び第２のセンサーによる相互測定が可能であり、両センサーを用いて補完的機能を実現した高精度な測定が可能である。【００２５】
（７）  前記判別工程は、積雪面を判別する判別条件を設定することを特徴とする積雪深測定方法。【００２６】
本発明によれば、判別工程で積雪面を判別する判別条件を設定することから、周辺環境を考慮した適時な判別条件を設定することによって、高精度な測定に資することが可能である。例えば、第１取得工程及び第２取得工程により取得した複数の各照度データに基づいて判別条件を適時に設定したり、積雪重量深計から得られる積雪重量データに基づいて判別条件を適時に設定したり、周辺環境の温度や湿度等の気象データに基づいて判別条件を適時に設定したり、これらを複合的に処理して判別条件を適時に設定したりすることができる。【００２７】
（８）  前記第１のセンサー及び前記第２のセンサーは、対となって垂直方向及び／又は水平方向に多数設けられていることを特徴とする積雪深測定方法。【００２８】
本発明によれば、第１のセンサー及び第２のセンサーが垂直方向に多数設けられていることから、第１のセンサーによって水平方向の異なる位置における積雪の有無を検知することができるとともに、第２のセンサーによって水平方向の異なる位置における周辺環境を捉えることができるので、両センサーを用いて補完的機能を実現した高精度な測定が可能である。また、第１のセンサー及び第２のセンサーが水平方向に多数設けられていることから、同一又は近傍の水平方向における部分的又は限定的な周辺環境の違い（例えば、着雪・着水や融雪）に影響されることなく、高精度な測定が可能である。【００２９】
（９）  前記第１のセンサーは赤外線センサーであり、前記第２のセンサーは可視光センサーであることを特徴とする積雪深測定方法。【００３０】
本発明によれば、赤外線と可視光（線）という波長の異なる２つの光センサーを組み合わせていることから、吸光度等の波長特性の違いに応じた照度データの分析によって、相互の補完的機能を実現した高精度な測定が可能である。【００３１】
（１０）  測定された照度データが上位装置に送信され、上位装置によって各工程の機能が実行されることを特徴とする積雪深測定方法。【００３２】
本発明によれば、上位装置によって各工程（第１取得工程，第２取得工程，判別工程，測定工程）の機能が実行されることから、積雪深計は照度データを得て上位装置に送信するだけであり、システム処理上の負荷をかけることはない。また、複数の積雪深計からの照度データを上位装置で一括して管理することが可能である。
【発明の効果】
【００３３】
本発明の積雪深計及び積雪深測定方法は、多重の光センサーによる相互の補完的機能を実現した高精度な測定が可能であり、積雪深計とそれに接続される上位装置との機能分担により、システム処理上の負荷の軽い簡易な積雪深計を提供するとともに、上位装置における精度の高い測定処理を可能にするという効果がある。
【図面の簡単な説明】
【００３４】
【図１】本発明の実施の形態に係る積雪深計の概略構成図である。
【図２】本発明の実施の形態に係る積雪深計の部分拡大図である。
【図３】センサー基板の配置例を示す図である。
【図４】本発明の実施の形態に係る積雪深計のブロック図である。
【図５】光センサーの構成例である。
【図６】照度データの表示例を示す図である。
【図７】本発明の実施の形態に係る積雪深測定方法を説明するためのフロー図である。
【図８】雪質の違いを説明するための図である。
【発明を実施するための最良の形態】
【００３５】
以下、本発明の実施の形態について図面に基づいて説明する。【００３６】
図１は、本発明の実施の形態に係る積雪深計１の概略構成図、図２は、積雪深計１のパイプ３の下端３ａ近傍を部分的に拡大した部分拡大図である。【００３７】
積雪深計１の周辺環境に積雪する積雪量を光センサーによって自動的に測定する。積雪深計１は、地上の地面や屋外・屋上に設置されて土台となるアクリル板等の降雪台２、降雪台２から垂直に立設する透明又は半透明のアクリル製等のパイプ３、パイプ３と連通して固設される制御ボックス４、上位装置等の外部機器にデータを送信する機能や外部機器からの指令やデータの受信を行う機能を備えたアンテナ５、から構成されている。【００３８】
パイプ３は、下端３ａが降雪台２に挿通され、上端３ｂが制御ボックス４内に嵌入されており、下端３ａは封止状態、上端３ｂは連通状態にある。下端３ａから上端３ｂは中空部３ｃが形成されており、中空部３ｃには、薄口Ｌ型のセンサー取付け用アングル材６が設けられ、センサー取付け用アングル材６には複数のセンサー基板７ａ，７ｂ，・・・，７ｇが固設されている。なお、パイプ３の径は任意であるが、径が小さいほど融雪孔の大きさを低減することができ、形成される融雪孔が小さい程、赤外線（受光・発光）センサーによる雪の検出が可能であり、また、少ない電力で赤外線（受光・発光）センサーを駆動することができる。【００３９】
図２に示すように、センサー基板７ｇは、センサー取付け用アングル材６と降雪台２との水平位置における相対的位置関係に基づいて固設され、降雪台２の上面の積雪を検知するようにしている。その他のセンサー基板７ａ，７ｂ，・・・，７ｆは、降雪台２の上面から所望の垂直方向の位置に固設される。なお、降雪台２の下面からパイプ３が突出する場合には、積雪深計１を安定して支持する支持スタンドＳを併設することができる。【００４０】
図３は、センサー基板の配置例を示す図であり、薄口Ｌ型のセンサー取付け用アングル材６の２側面にセンサー基板７ａ，７ｂ，・・・，７ｇ及び７ａ’，７ｂ’，・・・，７ｇ’が同一の水平方向に多数設けられている。このように、例えば、△型のセンサー取付け用アングル材（不図示）を用いて３側面にセンサー基板を同一の水平方向に固設したり、□型の△型のセンサー取付け用アングル材（不図示）を用いて４側面にセンサー基板を同一の水平方向に固設したりすることができる。また、センサー基板は同一の水平方向に複数配置してもよく、水平方向の近傍に複数配置してもよい。【００４１】
図４は、本発明の実施の形態に係る積雪深計１のブロック図であり、主に制御ボックス４に内設された制御基板８に送受信される信号やデータの回路ブロックを説明している。制御基板８は、センサー基板７ａ，７ｂ，・・・，７ｇに対応して信号入力端子８ａ，８ｂ，・・・，８ｇが設けられ、センサー基板と信号入力端子とは各々がケーブルで接続されている。センサー基板からの計測データは、各々の信号入力端子と接続されたマルチプレクサ９に入力され、各センサー基板から得られる多重の光センサーの信号を制御回路１０に送信する。マルチプレクサ９は、センサー基板７ａ，７ｂ，・・・，７ｇに搭載された赤外線受光センサー７ａ２，７ｂ２，・・・，７ｇ２で捕捉した赤外線照度データと、周囲照度センサー７ａ２，７ｂ２，・・・，７ｇ２で捕捉した赤外線照度データとの送受信の切り替えを簡易に行うことができる。制御回路１０では、各センサー基板からの信号を記憶する記憶部として機能し、必要に応じて外部の上位装置等にアンテナ５を介して送信する送信部として機能する。なお、制御ボックス４には、制御基板８に電力を供給して積雪深計を駆動するバッテリーも備わっている。【００４２】
図５に示すように、センサー基板７ａ，７ｂ，・・・，７ｇは、赤外線を照射する赤外線ＬＥＤ７ａ１，７ｂ１，・・・，７ｇ１と、水平方向に照射して反射された反射光の反射強度に基づく照度を測定する第１のセンサーとしての赤外線受光センサー７ａ２，７ｂ２，・・・，７ｇ２と、赤外線受光センサーの周辺照度を測定する第２のセンサーとしての周囲照度センサー７ａ２，７ｂ２，・・・，７ｇ２とが、１つのパーケージの中に搭載されている。赤外線受光センサーから得られる赤外線照度データと、周囲照度センサーから得られる周囲照度データとは、制御回路１０に送信される。【００４３】
図６は、照度データの表示例を示す図であり、センサー基板７ａ，７ｂ，・・・，７ｇに搭載された赤外線（受光）センサーで捕捉した赤外線照度データと、センサー基板７ａ，７ｂ，・・・，７ｇに搭載された（周囲）照度センサーで捕捉した周囲照度データとが、上位装置等に送信されて、表示モニターに映し出される。上位装置では、赤外線照度データと周囲照度データとから、積雪している雪面の位置を定量的に判断し、積雪量を測定する。【００４４】
例えば、赤外線（受光）センサー（ＰＳ）にて計測値が所定の閾値を超えた状態をＰＳ１、所定の閾値を超えていない状態をＰＳ０とし、（周囲）照度センサー（ＡＬＳ）にて計測値が所定の閾値を超えた状態をＡＬＳ１、所定の閾値を超えていない状態をＡＬＳ０とする。よって、雪を検出するのはＰＳ１かつＡＬＳ０の状態であり、雪を検出しないのはＰＳ０かつＡＬＳ１の状態であるから、ＰＳ１かつＡＬＳ０の状態とＰＳ０かつＡＬＳ１の状態との境界を判別する判別条件を設定することにより雪面の位置を判断し、積雪量を測定することができる。【００４５】
赤外線照度データと周囲照度データとから積雪量を測定する場合、以下の事項を考慮してデータ処理のアルゴリズムを規定して判別条件を設定すると有効である。【００４６】
（Ａ）
夜間（暗闇や月明り）では、周囲照度データの計測値は０に近く積雪量の測定には不向きであるが、赤外線照度データを活用することにより積雪量の測定が可能である。
（Ｂ）
晴天の場合でも、日の出と日の入の計測値は低く、朝昼夕の計測値にも大幅な開きがあり、周囲照度データのみで正確な測定をしようとすると時間や状況に応じた細やかな閾値設定が必要となるが、時間の影響を受けない赤外線照度データを活用することにより正確かつ容易に積雪量の測定が可能である。
（Ｃ）
降雪時は、雪が横切っただけでも一時的に赤外線照度データの計測値がブレてしまい、積雪量を正確に測定することができないが、周囲照度データを活用することにより一時的な要因に基づく誤測定を排斥し、積雪量の正確な測定が可能である。
（Ｄ）
ある特定の方向に着雪している場合には、同一の水平位置における照度データが異なることから、着雪している方向を周囲照度データや赤外線照度データを用いて検出し、着雪方向に位置する照度データの計測値を除いた照度データを用いることで、積雪量の正確な測定が可能である。
（Ｅ）
また、複数の積雪深計について各センサーを異なる向きに設置し、着雪している積雪深計と着雪していない積雪深計との複合データに基づく各々の照度データを分析することで、積雪量の正確な測定が可能である。【００４７】
また、赤外線照度データの計測値は、雪質によって精度が変化することがあり、以下の事項を考慮してデータ処理のアルゴリズムを規定して判別条件を設定すると有効である。【００４８】
例えば、図８に示す氷粒状の雪質（乾雪で粒径が小さく粒同士の空隙が少ない）の場合には、赤外線照度データ及び周囲照度データの計測値は高感度で高精度である。また、図８に示す樹枝状の雪質（乾雪で粒径が氷粒状よりも大きく低密度）の場合には、気温上昇による湿雪化により赤外線照度データの計測値は感度低下するが、ノイズとの識別は可能である。さらに、図８に示すざらめ状の雪質（湿雪で粒径が大きく空隙が多い）の場合には、含水率が高くて赤外線照度データの計測値は感度低下し、ノイズとの識別が困難である。【００４９】
このように、赤外線（受光）センサーによる反射強度は雪質による密度や粒径の依存性が見られ、特に粒径依存が顕著であることの知見を得た。また、気温変化による雪質の変化により精度が低下し、一定以上の含水状況になると、その後の感度は低いままであることの知見を得た。また、赤外線の吸光度との関係で、含水状況によって感度が低下することの知見を得た。【００５０】
図７は、本発明の実施の形態に係る積雪深測定方法を説明するためのフロー図であり、各工程が上位装置によって実行される。【００５１】
まず、上位装置では、照度データの取得を行う。各積雪深計の記憶部に記憶されている第１のセンサーの照度データを取得する第１取得工程、同じく各積雪深計の記憶部に記憶されている第２のセンターの照度データを取得する第２取得工程を適時に行い、各照度データを取得する。なお、上位装置と各積雪深計との通信は有線又は無線モジュールを用いて行なうことができる。【００５２】
次に、上位装置では、積雪面の判別を行う。第１取得工程により取得した水平位置の異なる各照度データと、第２取得工程により取得した水平位置の異なる各照度データとから、積雪面と推定される光センサー（第１のセンサー及び第２のセンサー）の水平位置（センサ番号）を特定する。積雪面の推定は、閾値判定による手法、第１のセンサー及び第２のセンサーの測定値を相互補完的に用いる手法など種々のアルゴリズムを用いることができる。【００５３】
積雪面の判別に際して判別条件を設定する場合には、第１取得工程及び第２取得工程により取得した複数の各照度データをパラメータとすることができる。また、積雪深計に積雪重量計を設置するか、積雪重量データを得るように構成しておき、上位装置に送信される積雪重量データをパラメータとすることができる。積雪重量データにより得られる積雪の密度から雪質を判別して、判別条件を適時に設定する。また、積雪深計に温度計や湿度計を設置するか、温度データや湿度データなどの気象データを得るように構成しておき、上位装置に送信される気象データをパラメータとすることができる。温度や湿度の変化によって雪質が変化するのを判別して、判別条件を適時に設定する。【００５４】
また、第１取得工程及び第２取得工程により取得した複数の各照度データから融雪や着雪・着水の有無を判断したり、これらの照度データに加えて気象データや積雪重量データを複合的に処理して融雪や着雪・着水の有無を判断したりして、各状況に応じた判別条件を設定することができる。例えば、含水率によって赤外線反射強度が変化する場合には、赤外線反射強度の変動を考慮した判別条件を設定することができる。【００５５】
次に、上位装置では、積雪深の取得を行う。積雪面と推定される光センサーの水平位置が特定されれば、予め設定されて降雪台からの距離に基づいて積雪深を得ることができる。
【産業上の利用可能性】
【００５６】
本発明に係る積雪深計は、昼夜や周辺環境の変化に適時に対応し、地上に設置されて光センサーによって自動的に積雪量を測定することができるものとして有用である。
【符号の説明】
【００５７】
１  積雪深計
２  降雪台
３  パイプ（３ａ：下端，３ｂ：上端，３ｃ：中空部）
４  制御ボックス
５  アンテナ
６  センサー取付け用アングル材
７ａ，７ｂ，・・・，７ｇ  センサー基板
７ａ１，７ｂ１，・・・，７ｇ１：赤外線ＬＥＤ
７ａ２，７ｂ２，・・・，７ｇ２：センサー（周囲照度センサー、赤外線受光センサー）
８  制御基板
９  マルチプレクサ
１０  制御回路
Ｓ  スタンド 
【図１】
2019026464.tif 000003
【図２】
2019026464.tif 000004
【図３】
2019026464.tif 000005
【図４】
2019026464.tif 000006
【図５】
2019026464.tif 000007
【図６】
2019026464.tif 000008
【図７】
2019026464.tif 000009
【図８】
2019026464.tif 000010
【国際調査報告】
2019026464.tif 000011
2019026464.tif 000012
2019026464.tif 000013
2019026464.tif 000014